【事件の表示】
　平成　３年特許願第２３９９６６号「映像信号入出力装置」拒絶査定に対する審判事件〔平成　５年　４月　２日出願公開、特開平　５−　８３６８６、請求項の数（３）〕について、次のとおり審決する。
【結　論】
　原査定を取り消す。
　本願の発明は、特許すべきものとする。
【理　由】
１．本願発明
　本願は、平成３年９月１９日の出願であって、その請求項１ないし３に係る発明（以下、「本願発明」という。）は、平成１４年８月７日付けの手続補正書により補正された明細書および図面の記載からみて、次に掲げたとおりのものである。
　
「【請求項１】　第１の同期信号により表示可能な第１の映像信号が入力され、該入力される第１の映像信号を記憶する第１のメモリ手段と、
　前記第１のメモリ手段に入力される前記映像信号を前記第１の同期信号に基づいて前記第１のメモリ手段への書き込み制御する書込制御手段と、
　入力される映像信号を少なくとも１フレーム分記憶する第２のメモリ手段と、
　前記書込制御手段による書き込み制御により前記第１のメモリ手段に記憶された前記第１の映像信号を読み出し、前記第１の同期信号に同期して前記第２のメモリ手段に転送して書き込む転送手段と、
　前記第２のメモリ手段に記憶された前記第１の映像信号を、前記第１の同期信号とは周波数が異なる第２の同期信号により表示する表示手段に画像として表示させるために、前記第２の同期信号により画面周期が異なる第２の映像信号として読み出す読出制御手段と、
　前記第１の同期信号と前記第２の同期信号との時間差に基づいて、前記第１の同期信号と前記第２の同期信号との追い越しが前記転送手段による転送中に発生するフレームを前もって検出する追い越し検出手段と、
　前記追い越し検出手段による追い越しの発生の検出に基づいて、前記追い越しが発生するフレームでの前記転送手段の転送タイミングを、追い越し完了状態の転送タイミングとなるように前記第１の同期信号に対して所定時間遅延させるように制御する転送制御手段と、
　を具備したことを特徴とする映像信号入出力装置。
　【請求項２】　第１の同期信号により表示可能な第１の映像信号が入力され、該入力される第１の映像信号を記憶する第１のメモリ手段と、
　前記第１のメモリ手段に入力される前記映像信号を前記第１の同期信号に基づいて前記第１のメモリ手段への書き込み制御する書込制御手段と、
　入力される映像信号を少なくとも１フレーム分記憶する第２のメモリ手段と、
　前記書込制御手段による書き込み制御により前記第１のメモリ手段に記憶された前記第１の映像信号を読み出し、前記第１の同期信号に同期して前記第２のメモリ手段に転送して書き込む転送手段と、
　前記第２のメモリ手段に記憶された前記第１の映像信号を、前記第１の同期信号より大きな周波数の第２の同期信号により表示する表示手段に画像として表示させるために、前記第２の同期信号により画面周期が異なる第２の映像信号として読み出す読出制御手段と、
　前記第１の同期信号と前記第２の同期信号との時間差に基づいて、前記第２の同期信号の前記第１の同期信号に対する追い越しが前記転送手段による転送中に発生するフレームを前もって検出する追い越し検出手段と、
　前記追い越し検出手段による追い越しの発生の検出に基づいて、前記追い越しが発生するフレームでの前記転送手段の転送タイミングを前記第１の同期信号に対して所定時間遅延させることにより、前記第２のメモリ手段に記憶されている前記追い越しが発生する前のフレームの映像信号を前記読出制御手段が読み出すように制御する転送制御手段と、　　を具備したことを特徴とする映像信号入出力装置。
　【請求項３】　前記入力される第１の同期信号により表示可能な第１の映像信号は、ＮＴＳＣ方式の解像度の映像信号であり、
　前記読出制御手段により読み出される第２の映像信号は、ＨＤＴＶ方式の解像度の映像信号であることを特徴とする請求項１または２記載の映像信号出力装置。」
　
２．引用例
　原審の拒絶理由で引用した刊行物である特開平１−３０３８７９号公報（以下、「引用例１」という。）、特開昭６１−１９９３８５号公報（以下、「引用例２」という。）、特開昭５４−１３８３２６号公報（以下、「引用例３」という。）、特開昭５５−８０９６５号公報（以下、「引用例４」という。）、特開昭６４−４６３７５号公報（以下、「引用例５」という。）、特開昭６４−３６１７４号公報（以下、「引用例６」という。）には、次に掲げることが記載されている。
　引用例１には、親画面映像信号の一部に、この親画面映像信号に対して非同期の子画面映像信号を挿入するときに、主記憶エリアの前段に第１及び第２の副記憶エリアを設けて、子画面映像信号を第１の副記憶エリアで圧縮して書き込み、子画面映像信号の同期信号に基づいて、第１の副記憶エリアに保持された子画面映像信号を第２の副記憶エリアに数サンプル分、同時転送し、親画面映像信号の同期信号に基づいて、主記憶エリアに転送するときに親画面映像信号の同期信号と子画面映像信号の同期信号とにより、主記憶エリアに転送するタイミングを変更することが記載されている。
　引用例２には、大画面用映像信号のフィールドと小画面用映像信号のフィールドとの間に位相差が生じた場合には、転送ラインと読み出しラインとの一致に基づいて書き込みラインを１つ飛び越すことにより、前記位相差による不都合を解消することが記載されている。
　引用例３には、電子式ズーミングを行うときに書き込み・読み出しメモリの追い越しを撮影数時間に１回程度に低減させることが記載されている。
　引用例４には、アドレスマップに入力データの先頭アドレスを少なくとも１フレーム分保存しているので、入出力間の周波数偏差による追越しの発生に対して容易に対処可能であることが記載されている。
　引用例５には、順次所定の順序でアクセスされる４フレーム（又はフィールド）分又はそれ以上のメモリ容量を有する画像メモリを用いて、読出アドレス信号及び書込アドレス信号が互いに追い越すような状態になったとき、読出アドレス又は書込アドレスを１フレーム単位または１フィールド単位で引き離すようにしたことにより、当該追越し現象によって生ずる画像の乱れを生じさせないようにし得ることが記載されている。
　引用例６には、ｎ（ｎは４以上の偶数）フィールドの画像メモリを用いてｎ−１画面静止１画面動画のＰＩＰ表示および「追い越し現象」の生じない１画面ＰＩＰ表示の両方を切換えて用いることのできる画像表示装置が得られることが記載されている。
　
３．本願発明と引用例との対比
　本願発明と引用例１ないし６とを対比・検討すると、引用例１ないし６には、次に掲げる本願発明の主要な事項の記載も示唆もない。
　
　「第１の同期信号と第２の同期信号との時間差に基づいて、前記第１の同期信号と前記第２の同期信号との追い越しが前記転送手段による転送中に発生するフレームを前もって検出する追い越し検出手段」及び「前記追い越し検出手段による追い越しの発生の検出に基づいて、前記追い越しが発生するフレームでの前記転送手段の転送タイミングを、追い越し完了状態の転送タイミングとなるように前記第１の同期信号に対して所定時間遅延させるように制御する転送制御手段」を有している点。
　
　そしてそれにより、「第１のメモリ手段から第２のメモリ手段への転送開始タイミングなどを２つの同期信号の時間差に応じて変化させるようにしているので、第２のメモリ手段での読出しと書込み番地の追い越しが回避され常時境界のない自然な画像を得ることができる」といった引用例１ないし６にはない顕著な効果を有している。
　
４．むすび
　したがって、本願発明は引用例１ないし６の記載に基いて当業者が容易に発明することができたとする原査定の理由によっては、拒絶することはできない。
　また、他に本願発明を拒絶する理由を発見しない。
　よって、結論のとおり審決する。